(57)【要約】      （修正有）【課題】土壌を掘り起こすことなく、発根初期の細根の状態をも検知することができるようにした樹木発根の検知方法を提供する。【解決手段】樹木２０の樹根２１を発根させるにあたり、少なくとも上面が開口された多孔性の筒状部材１４を用い、発根２２が伸びると想定される仮想ライン上の土壌に筒状部材をその内部空間を残したままの状態で縦方向に埋設し、筒状部材の内部空間を横断して伸びる樹根を筒状部材の上面開口から観察することによって発根の状態を検知するようにした。【選択図】図１
2020167953.tif 000002
【特許請求の範囲】
【請求項１】
樹木（２０）の樹根を発根させるにあたり、少なくとも上面が開口された多孔性の筒状部材（１４）を用い、発根（２２）が伸びると想定される仮想ライン上の土壌に上記筒状部材（１４）をその内部空間を残したままの状態で縦方向に埋設し、上記筒状部材（１４）の内部空間を横断して伸びる樹根を上記筒状部材（１４）の上面開口から観察することによって発根の状態を検知するようにしたことを特徴とする樹木発根の検知方法。
【請求項２】
上記筒状部材（１４）に、竹や藤を含む自然素材を用いて内径５ｃｍ〜１５ｃｍ程度の筒状に編んだ網籠を用いるようにした請求項１記載の樹木発根の検知方法。
【請求項３】
上記筒状部材（１４）に、合成樹脂材料を用いて内径５ｃｍ〜１６ｃｍ程度の筒状に製造したネット状パイプを用いるようにした請求項１記載の樹木発根の検知方法。
【発明の詳細な説明】
【技術分野】
【０００１】
本発明は樹木発根の検知方法に関し、特に土壌を掘り起こすことなく、発根初期の細根の状態をも検知することができるようにした検知方法に関する。
【背景技術】
【０００２】
例えば、寺院や神社の境内、公園、道路には樹木がよく植えられているが、公園や道路の樹木は踏圧によって土壌が固結して衰退することがある。
【０００３】
また、石畳、街路樹の塊状石材やブロックなどの下側にある樹根は成長し肥大化すると、石畳、石材やブロックを持ち上げて通行の障害になることがあり、特に夜間などその盛り上がりが見え難いため歩行者の妨げとなりやすい。広い歩道であればその弊害は無視できるが、都会では広い歩道を設けることは難しくその対策が求められる。
【０００４】
そこで、樹木の下側に空洞を設け、樹木を自重によって沈下させて樹根の盛り上がりを低下させる方法（特許文献２）、発根の忌避剤を含有させた樹根忌避用シート材を樹木の根元の土壌上に敷設する方法（特許文献１）、伸びた樹根を途中で切断し、下向きに湾曲した断面凹状の被覆部材で切断した樹根を覆い、樹根の伸びる方向を下向きに誘導する方法（特許文献３）、が提案されている。
【先行技術文献】
【特許文献】
【０００５】
【特許文献１】特開２００４−１６８６８１号公報
【特許文献２】特開２０１２−１７０３４１号公報
【特許文献３】特開２０１８−１２６０６３号公報
【発明の開示】
【発明が解決しようとする課題】
【０００６】
これに対し、本件発明者らは格段の部材を準備することなく、樹根が成長した段階でも樹根や発根の伸びる方向を誘導できるようにした樹木の樹根・発根の誘導方法を開発し、出願するに至った。
【０００７】
しかし、樹根や発根を所望の方向に誘導できたか否かを確認する必要があるが、樹木の太い樹根の伸びはレーダーなどによって検知できるものの、発根初期の細根の場合にはレーダーなどによって検知することができず、土壌を掘り起こす必要があり、作業が煩雑であった。
【０００８】
本発明はかかる点に鑑み、土壌を掘り起こすことなく、発根初期の細根の状態をも検知することができるようにした樹木発根の検知方法を提供することを課題とする。
【課題を解決するための手段】
【０００９】
そこで、本発明に係る樹木発根の検知方法は、樹木の樹根を発根させるにあたり、少なくとも上面が開口された多孔性筒状部材を用い、発根が伸びると想定される仮想ライン上の土壌に上記筒状部材をその内部空間を残したままの状態で縦方向に埋設し、上記筒状部材の内部空間を横断して伸びる樹根を上記筒状部材の上面開口から観察することによって発根の状態を検知するようにしたことを特徴とする。
【００１０】
本発明の特徴の１つは発根が伸びると想定される仮想ライン上の土壌に多孔性の筒状部材をその内部空間を残したまま縦方向に埋設するようにした点にある。
これにより、樹木の太い樹根だけでなく、発根初期の細根も筒状部材の内部空間を横断して伸びることになり、筒状部材の上面開口から細根や樹根を観察することによって、土壌を掘り起こすことなく、発根の状態を検知することができる。
【００１１】
また、初期発根が目視で確認できるとともに、ファイバースコープやカメラを筒状部材内に入れることで微速度撮影が可能になった。   
【００１２】
筒状部材の上面開口は通常は石塊や不織布などによって覆っておくのがよい。筒状部材には竹や藤などの自然素材を用いて内径５ｃｍ〜１５ｃｍ程度の筒状に編んだ網籠を用いてもよく、さらに合成樹脂材料を用いて内径５ｃｍ〜１６ｃｍ程度の筒状に製造したネット状パイプを用いることもできる。
【００１３】
網籠は土壌で自然分解する物性を有し、改良土壌中に埋め戻し、空気供給管や肥料管としても用いることができる。他方、ネット状パイプは耐久性を有し、長期にわたって放置して空気供給パイプとしても用いるのに便利である。
【図面の簡単な説明】
【００１４】
【図１】本発明に係る樹木発根の検知方法の好ましい実施形態を用いた断面模式図である。
【図２】上記実施形態における網籠の例の側面（Ａ）及び上面（Ｂ）を示す図である。
【図３】上記実施形態におけるネット状パイプの例の側面（Ａ）及び上面（Ｂ）を示す図である。
【図４】上記実施形態における発根の状態を示す図である。
【発明を実施するための形態】
【００１５】
以下、本発明を図面に示す具体例に基づいて詳細に説明する。図１ないし図４は本発明に係る樹木発根の検知方法の好ましい実施形態を示し、これは樹木の樹根・発根の誘導施行に適用した例である。樹木２０の樹根２１や発根２２の誘導を行う場合、誘導すべき範囲１１に土壌灌注１９を行うとともに、割竹１５を適宜の間隔で縦に埋設して土壌に空気を供給するようにする。
【００１６】
また、樹根２１や発根２２を伸ばすべき方向には樹根２１や発根２２の状況、例えば既存の樹根２１か否か、初期発根２２か否かに応じて溝状の土壌改良や坪状の土壌改良を行う。溝状に土壌改良した領域１２及び坪状に土壌改良した領域１３には樹根２１や発根２２の伸長を確認するための筒状部材１４を縦方向に埋設し、割竹１５や筒状部材１４の上に不織布や石塊などを載せ、その上に石板１６を敷設する。
【００１７】
敷設した石板１６は土砂を埋め戻して整地するようにしてもよく、露出させて石畳として用いることもできる。また、伸長した樹根２１は途中で剪定して菌根菌を接種するのがよい。
【００１８】
ここで、筒状部材１４には図２の（Ａ）（Ｂ）に示されるような、竹ひごで製作した網籠を用いることもでき、又図３の（Ａ）（Ｂ）に示されるような、合成樹脂材料で筒状に製作したネット状パイプを用いることもできる。
【００１９】
網籠１４は土壌で自然分解する物性を有し、改良土壌中に埋め戻し、空気供給管や肥料管としても用いることができる。他方、ネット状パイプ１４は耐久性を有し、長期にわたって放置して空気供給パイプとしても用いるのに便利である。
【００２０】
樹木２０の発根が進むと、樹木の太い樹根２１だけでなく、発根初期の細根２２も筒状部材１４の内部空間を横断して伸びることができる。そこで、発根を検知する場合、筒状部材１４上の石板１６及び石塊や不織布を取り除くと、図４に示されるように、発根２２が筒状部材１４の内部空間を横断して伸びているので、筒状部材１４の上面開口から細根２２や樹根２１を観察することによって、土壌を掘り起こすことなく、発根の状態を検知することができる。
【００２１】
また、初期発根が目視で確認できるとともに、ファイバースコープやカメラを筒状部材内に入れるようにすると、微速度撮影が可能になる。   
【００２２】
本件発明者らはサクラ、マツ、ツバキ、クロガネモチ、モミジ、クスノキにおける施工に用いたところ、優れた効果があることを確認した。
【符号の説明】
【００２３】
１１      樹根を伸長させるべき領域
１４      筒状部材
２０      樹木
２１      樹根
２２      発根
【図１】
2020167953.tif 000003
【図２】
2020167953.tif 000004
【図３】
2020167953.tif 000005
【図４】
2020167953.tif 000006